(57)【特許請求の範囲】
【請求項１】
複数のアプリケーションの内、いずれかのアプリケーションの起動を制限する複数の制限モードのうちの１つに設定することで制限状態とする制御部と、
音声認識の結果に応じて、前記複数のアプリケーションの内、起動されるべきアプリケーションを特定する音声認識部と、
前記制限状態において、前記音声認識部により特定されたアプリケーションの起動が制限される制限状態であるか否かを判定する判定部と、を備え、
前記制御部は、
前記制限状態において、前記特定されたアプリケーションの起動が制限されていない場合には前記特定されたアプリケーションを起動し、
前記特定されたアプリケーションの起動が制限されている場合には前記特定されたアプリケーションを起動させず、前記特定されたアプリケーション、前記特定されたアプリケーションの起動が制限されていること、及び前記複数の制限モードのうちの設定された１つの制限モードを報知することを特徴とする電子機器。
【請求項２】
前記制限状態において、起動が制限されるアプリケーションが前記複数の制限モードによって互いに異なることを特徴とする請求項１に記載の電子機器。
【請求項３】
表示部をさらに備え、
前記制御部は、前記制限状態において、前記設定された制限モードに対応する起動が制限されているアプリケーションを示す一覧を前記表示部に表示させることを特徴とする請求項２に記載の電子機器。
【請求項４】
前記制御部は、前記特定されたアプリケーションの起動が制限されている場合、前記制限状態を解除するか否かの入力を受け付け、前記制限状態を解除する旨の入力を受け付けた場合、前記特定されたアプリケーションを起動し、前記制限状態を解除しない旨の入力を受け付けた場合、前記特定されたアプリケーションを起動しないことを特徴とする請求項１から請求項３のいずれか１項に記載の電子機器。
【請求項５】
前記制御部は、前記制限状態を解除する旨の入力を受け付けて前記特定されたアプリケーションが起動された後、当該アプリケーションの起動の終了に伴い前記制限状態とすることを特徴とする請求項４に記載の電子機器。
【請求項６】
電子機器の制御方法であって、
複数のアプリケーションの内、いずれかのアプリケーションの起動を制限する複数の制限モードのうちの１つに設定して制限状態とする制限ステップと、
音声認識の結果に応じて、前記複数のアプリケーションの内、起動されるべきアプリケーションを特定する音声認識ステップと、
前記制限状態において、前記音声認識ステップにおいて特定されたアプリケーションの起動が制限される制限状態であるか否かを判定する判定ステップと、
前記制限状態において、前記特定されたアプリケーションの起動が制限されていない場合には前記特定されたアプリケーションを起動し、
前記特定されたアプリケーションの起動が制限されている場合には前記特定されたアプリケーションを起動させず、前記特定されたアプリケーション、前記特定されたアプリケーションの起動が制限されていること、及び前記複数の制限モードのうちの設定された１つの制限モードを報知させる制御ステップと、を含む制御方法。
【発明の詳細な説明】
【技術分野】
【０００１】
本発明は、音声認識機能を有する電子機器及びその制御方法に関する。
【背景技術】
【０００２】
従来、音声認識の結果として得られる文字列から、所望の機能を起動する制御が知られている（例えば、特許文献１参照）。このような音声認識機能により、電子機器の利用者は、キー操作が難しい、又は不慣れな場合や、手が離せない状態の場合等に、キー操作を行わずに、この電子機器を操作することができる。例えば、各種アプリケーションを有する電子機器において、利用者は、「ルートケンサク」と発声することでルート検索アプリケーションを起動したり、「インターネット」と発声することでブラウザアプリケーションを起動したりできる。
【先行技術文献】
【特許文献】
【０００３】
【特許文献１】特開２００２−３５１６５２号公報
【発明の概要】
【発明が解決しようとする課題】
【０００４】
ところで、電子機器には、特定の機能の実行を制限する制限状態が設定されている場合がある。この場合、音声認識結果により特定された機能の実行が制限されていると、実行できない旨のエラーが出力されるが、ユーザは、いずれの機能が呼び出されたのか、また、なぜ実行できないのかを把握するのが難しかった。
【０００５】
本発明は、音声認識時に、機能制限に伴う実行エラーの原因をユーザに容易に認知させられる電子機器を提供することを目的とする。
【課題を解決するための手段】
【０００６】
本発明に係る電子機器は、複数のアプリケーションの内、いずれかのアプリケーションの起動を制限する複数の制限モードのうちの１つに設定することで制限状態とする制御部と、音声認識の結果に応じて、前記複数のアプリケーションの内、起動されるべきアプリケーションを特定する音声認識部と、前記制限状態において、前記音声認識部により特定されたアプリケーションの起動が制限される制限状態であるか否かを判定する判定部と、を備え、前記制御部は、前記制限状態において、前記特定されたアプリケーションの起動が制限されていない場合には前記特定されたアプリケーションを起動し、前記特定されたアプリケーションの起動が制限されている場合には前記特定されたアプリケーションを起動させず、前記特定されたアプリケーション、前記特定されたアプリケーションの起動が制限されていること、及び前記複数の制限モードのうちの設定された１つの制限モードを報知する。
【０００７】
前記制限状態において、起動が制限されるアプリケーションが前記複数の制限モードによって互いに異なってもよい。
【０００８】
本発明に係る電子機器は、表示部をさらに備え、前記制御部は、前記制限状態において、前記設定された制限モードに対応する起動が制限されているアプリケーションを示す一覧を前記表示部に表示させてもよい。
【０００９】
前記制御部は、前記特定されたアプリケーションの起動が制限されている場合、前記制限状態を解除するか否かの入力を受け付け、前記制限状態を解除する旨の入力を受け付けた場合、前記特定されたアプリケーションを起動し、前記制限状態を解除しない旨の入力を受け付けた場合、前記特定されたアプリケーションを起動しなくてもよい。
【００１０】
前記制御部は、前記制限状態を解除する旨の入力を受け付けて前記特定されたアプリケーションが起動された後、当該アプリケーションの起動の終了に伴い前記制限状態としてもよい。
【００１１】
本発明に係る制御方法は、電子機器の制御方法であって、複数のアプリケーションの内、いずれかのアプリケーションの起動を制限する複数の制限モードのうちの１つに設定して制限状態とする制限ステップと、音声認識の結果に応じて、前記複数のアプリケーションの内、起動されるべきアプリケーションを特定する音声認識ステップと、前記制限状態において、前記音声認識ステップにおいて特定されたアプリケーションの起動が制限される制限状態であるか否かを判定する判定ステップと、前記制限状態において、前記特定されたアプリケーションの起動が制限されていない場合には前記特定されたアプリケーションを起動し、前記特定されたアプリケーションの起動が制限されている場合には前記特定されたアプリケーションを起動させず、前記特定されたアプリケーション、前記特定されたアプリケーションの起動が制限されていること、及び前記複数の制限モードのうちの設定された１つの制限モードを報知させる制御ステップと、を含む。
【発明の効果】
【００１２】
本発明によれば、ユーザは、電子機器における音声認識時に、機能制限に伴う実行エラーの原因を容易に認知できる。
【図面の簡単な説明】
【００１３】
【図１】本発明の実施形態に係る携帯電話機の外観斜視図である。
【図２】本発明の実施形態に係る携帯電話機の機能を示すブロック図である。
【図３】本発明の実施形態に係る音声認識による画面遷移例を示す図である。
【図４】本発明の実施形態に係る操作制限リストの画面表示例を示す図である。
【図５】本発明の実施形態に係る音声認識により特定された機能の実行処理を示すフローチャートである。
【図６】本発明の実施形態に係る操作制限リストの表示処理を示すフローチャートである。
【発明を実施するための形態】
【００１４】
以下、本発明の好適な実施形態の一例について説明する。なお、本実施形態では、電子機器の一例として、ドライブモードやサイレントマナーモード等の各種制限状態に設定可能な携帯電話機１を説明する。
【００１５】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１６】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１７】
また、表示部側筐体３は、表面部２０に、各種情報を表示するための表示部２１と、通話の相手側の音声を出力するレシーバ２２と、を備えて構成されている。
【００１８】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００１９】
図２は、本実施形態に係る携帯電話機１の機能を示すブロック図である。
携帯電話機１は、操作部１１と、表示部２１と、制御部３０と、通信部４０と、記憶部５０と、音声認識部６０と、判定部７０とを備える。
【００２０】
制御部３０は、携帯電話機１の全体を制御しており、例えば、表示部２１、通信部４０等の各部に対して所定の制御を行う。また、制御部３０は、操作部１１や通信部４０等から入力を受け付けて、各種処理を実行する。そして、制御部３０は、処理実行の際には、記憶部５０を制御し、各種プログラム及びデータの読み出し、及びデータの書き込みを行う。
【００２１】
具体的には、制御部３０は、携帯電話機１が実行可能な複数の機能の内、いずれかの機能の実行を制限する制限状態として、複数の制限モードのいずれかを設定する制御を行う。そして、制御部３０は、この制限状態において、音声認識部６０により特定された機能が制限されていない場合には、この特定された機能を実行する。一方、特定された機能が制限されている場合には、制御部３０は、特定された機能を実行させず、この特定された機能、及びこの特定された機能の実行が制限されていることを表示部２１により報知する。
【００２２】
また、制御部３０は、制限状態において、音声認識部６０により特定された機能の実行が制限されている場合、実行が制限される機能が互いに異なる複数の制限モードの内、現在の制限状態がいずれの制限モードに該当するかを、判定部７０に問い合わせて報知する。
【００２３】
また、制御部３０は、制限状態において、実行が制限されている機能、又は実行可能な機能、さらには、音声認識により実行可能な機能を示す一覧を取得し、これらを表示部２１に表示させる。
【００２４】
さらに、制御部３０は、音声認識部６０により特定された機能の実行が制限されている場合、この制限を解除するか否かの入力を受け付ける。そして、制御部３０は、解除する旨の入力を受け付けた場合、特定された機能を実行し、解除しない旨の入力を受け付けた場合、特定された機能を実行しない。ここで、特定された機能が実行された場合、制限状態が一時的に解除されているが、制御部３０は、この機能の実行が終了したことに伴い、元の制限状態とし、同一機能の再度の実行を制限する。
【００２５】
通信部４０は、所定の使用周波数帯（例えば、２ＧＨｚ帯や８００ＭＨｚ帯等）で外部装置（基地局）と通信を行う。通信部４０は、アンテナ４１より受信した信号を復調処理し、処理後の信号を制御部３０に供給する。また、制御部３０から供給された信号を変調処理し、アンテナ４１を介して外部装置に送信する。
【００２６】
記憶部５０は、本実施形態に係る各種プログラムを記憶し、また、制御部３０による演算処理に利用される。さらに、記憶部５０は、音声認識辞書５１を記憶しており、音声認識部６０による音声認識時に参照される。なお、音声認識辞書５１は、音声認識の結果として得られるテキスト情報と照合する読み仮名の選択肢を含むデータである。この読み仮名のそれぞれは、起動可能な各機能と対応付けられており、選択肢の中に音声認識の結果と同一の読み仮名があった場合に、対応付けられている機能が制御部３０により実行される。
【００２７】
また、記憶部５０は、音声認識により実行可能な機能の識別データと、各制限モードにおいて実行が制限される機能の識別データとを含む機能情報ＤＢ５２を有し、この機能情報ＤＢ５２の各データは、制御部３０及び判定部７０へ提供される。
【００２８】
音声認識部６０は、制御部３０からの指令に基づいて、マイク１２から入力された信号の音声認識処理を実行し、処理結果に応じて、音声認識辞書に基づいて複数の機能のうち実行されるべき機能を特定して制御部３０へ提供する。
【００２９】
判定部７０は、音声認識部６０により特定された機能が、現在設定されている制限モードにおいて実行を制限されているか否かを、機能情報ＤＢ５２を参照して判定し、制御部３０へ通知する。また、判定部７０は、制限状態において、実行が制限される機能が互いに異なる複数の制限モードの内、現在の制限状態がいずれの制限モードに該当するかを判定し、制御部３０へ通知する。
【００３０】
図３は、本実施形態に係る音声認識による画面遷移例を示す図である。
音声認識画面（ａ）において、「簡易留守メモ設定」と音声入力された場合、対応する機能の実行が制限されていない場合には、正常に実行されて設定画面（ｂ）に遷移する。
【００３１】
一方、例えば、ドライブモードに設定されて制限状態にある場合、音声認識により特定された機能「簡易留守メモ設定」と、現在の制限モード「ドライブモード」とが表示され、特定された機能が実行されない旨が報知される（ｃ）。
【００３２】
このように、制御部３０は、判定部７０からの通知に基づいて、特定された機能と制限モードとを表示することにより、「この機能は呼出しできません」等、実行できないことのみを報知する従来のエラー表示に比べて、詳細な情報をユーザへ提供できる。
【００３３】
図４は、本実施形態に係る操作制限リストの画面表示例を示す図である。
例えば、音声認識画面において、「操作制限リスト」と音声入力された場合、制限されている機能がなければ、「操作制限はありません」と表示される（ａ）。
【００３４】
一方、制限されている機能があれば、機能情報ＤＢ５２から取得した識別データに基づいて、音声認識は可能であるものの実行が制限されている機能の一覧である操作制限リストが表示される（ｂ）。
【００３５】
図５は、本実施形態に係る音声認識により特定された機能の実行処理を示すフローチャートである。
ステップＳ１において、音声認識部６０は、音声認識処理を実行し、処理結果に基づいて、実行されるべき機能を特定する。
【００３６】
ステップＳ２において、判定部７０は、携帯電話機１が制限状態（いずれかの制限モード）に設定されているか否かを判定する。この判定がＹＥＳの場合、処理はステップＳ３に移り、判定がＮＯの場合、処理はステップＳ４に移る。
【００３７】
ステップＳ３において、判定部７０は、ステップＳ１で特定された機能が、現在の制限モードにおいて実行が制限されているか否かを判定する。この判定がＹＥＳの場合、処理はステップＳ７に移り、判定がＮＯの場合、処理はステップＳ４に移る。
【００３８】
ステップＳ４において、制御部３０は、ステップＳ１で特定された機能が制限モードの設定又は解除であるか否かを判定する。この判定がＹＥＳの場合、処理はステップＳ６に移り、判定がＮＯの場合、処理はステップＳ５に移る。
【００３９】
ステップＳ５において、制御部３０は、ステップＳ１で特定され、ステップＳ３で実行が制限されていないと判定された機能を実行する。
【００４０】
ステップＳ６において、制御部３０は、制限モードの設定又は解除を行うと共に、この制限モードの種類（例えば、ドライブモードやサイレントマナーモード等）を表示部２１に表示させてユーザに報知する。
【００４１】
ステップＳ７において、制御部３０は、ステップＳ１で特定された機能名と、この機能の実行が制限されている現在の制限モードの種類とを、表示部２１に表示させてユーザに報知する。
【００４２】
ここで、ステップＳ６及びＳ７において、制御部３０は、制限モードの種類に加えて、制限される機能の一覧を表示部２１に表示させてもよい。
【００４３】
ステップＳ８において、制御部３０は、操作部１１を介してユーザからの指示入力を受け付けることにより、現在の制限を解除してステップＳ１で特定された機能を実行するか否かを判定する。この判定がＹＥＳの場合、処理はステップＳ９に移り、判定がＮＯの場合、処理は終了する。
【００４４】
ステップＳ９において、制御部３０は、制限を解除する旨の指示に従って、ステップＳ１で特定された機能を実行する。
【００４５】
ステップＳ１０において、制御部３０は、ステップＳ９で実行された機能が終了すると、携帯電話機１を元の制限状態に復帰させる。
【００４６】
図６は、本実施形態に係る操作制限リストの表示処理を示すフローチャートである。
ステップＳ１１において、判定部７０は、携帯電話機１が制限状態（いずれかの制限モード）に設定されているか否かを判定する。この判定がＹＥＳの場合、処理はステップＳ１２に移り、判定がＮＯの場合、処理はステップＳ１６に移る。
【００４７】
ステップＳ１２において、制御部３０は、機能情報ＤＢ５２から、音声認識可能な機能のリストを取得する。なお、携帯電話機１の動作状態に応じて音声認識可能な機能が切り替わる場合、制御部３０は、それぞれの動作状態に応じたリストを取得する。
【００４８】
ステップＳ１３において、制御部３０は、機能情報ＤＢ５２から、現在の制限モードにおいて操作制限されている機能のリストを取得する。
【００４９】
ステップＳ１４において、制御部３０は、ステップＳ１２で取得された音声認識可能な機能のいずれかが操作制限されているか否かを、ステップＳ１３で取得された操作制限リストに基づいて判定する。この判定がＹＥＳの場合、処理はステップＳ１５に移り、判定がＮＯの場合、処理はステップＳ１６に移る。
【００５０】
ステップＳ１５において、制御部３０は、音声認識が可能だが実行が制限されている機能のリストを、表示部２１に表示させてユーザに報知する。
【００５１】
ステップＳ１６において、制御部３０は、音声認識可能な機能の中に実行が制限されているものがないことを、表示部２１に表示させてユーザに報知する。
なお、表示部２１に表示させるタイミングとしては、前述した図５におけるステップＳ６又はＳ７でもよいし、音声認識機能の起動時又は動作状態の切り替わった際でもよい。
【００５２】
以上のように、本実施形態によれば、携帯電話機１は、音声認識により特定された機能が制限されていない場合には、この機能を実行し、制限されている場合には、この機能を実行せず、機能名及び制限状態にあることを報知する。したがって、ユーザは、音声認識時に、機能制限に伴う実行エラーの原因を容易に認知できる。
【００５３】
さらに、このとき、携帯電話機１は、現在の制限モードを判定し、この制限モードを報知するので、ユーザの認知性が向上する。
【００５４】
また、携帯電話機１は、制限状態において、実行が制限されている機能のリストを表示するので、ユーザの認知性が向上し、利便性が向上する。
【００５５】
また、携帯電話機１は、音声認識により特定された機能の実行が制限されている場合にも、制限を解除する旨の指示入力に従って、この機能を実行する。したがって、制限状態においても、ユーザは、一時的に制限を解除して機能を実行できるので、利便性が向上する。
【００５６】
さらに、このとき、携帯電話機１は、一時的に実行された機能が終了すると、元の制限状態に復帰させるので、再度、無制限に機能が実行されるのを抑制できる。
【００５７】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００５８】
また、前述の実施形態において、電子機器として携帯電話機１について説明しているが、電子機器はこれに限定されず、本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ等、様々な機器に適用可能である。
【符号の説明】
【００５９】
１  携帯電話機（電子機器）
１１  操作部
２１  表示部
３０  制御部
４０  通信部
４１  アンテナ
５０  記憶部
５１  音声認識辞書
５２  機能情報ＤＢ
６０  音声認識部
７０  判定部
【図１】
0005826999.tif 000002
【図２】
0005826999.tif 000003
【図３】
0005826999.tif 000004
【図４】
0005826999.tif 000005
【図５】
0005826999.tif 000006
【図６】
0005826999.tif 000007